(57)【要約】      （修正有）【課題】前面パネルに帯電した静電気による液晶表示パネルへの悪影響を防ぐことが可能な液晶表示装置を提供する。【解決手段】見返し部材と、見返し部材１の背後に設けられる前面パネル２と、前面パネル２の背後に設けられ、液晶を封止した一対の絶縁基板の内側表面に透明電極が各々設けられることで表示部を形成する液晶表示パネルと、所定の接続部材を介して液晶表示パネルと導通接続されるフレキシブルプリント配線板と、を備えた液晶表示装置において、フレキシブルプリント配線板は、液晶表示パネルと導通接続されない分岐片を有し、分岐片は、前面パネルに当接される。【選択図】図１
2014081567.tif 000002
【特許請求の範囲】
【請求項１】
前面パネルの背後に設けられ、液晶を封止した一対の絶縁基板の内側表面に透明電極が各々設けられることで表示部を形成する液晶表示パネルと、
前記液晶表示パネルと導通接続されるフレキシブルプリント配線板と、を備えた液晶表示装置において、
前記フレキシブルプリント配線板は、前記液晶表示パネルと導通接続されない分岐片を有し、
前記分岐片は、前記前面パネルに当接することを特徴とする液晶表示装置。
【請求項２】
前記分岐片は、前記絶縁基板の表面側に配置された緩衝部材と当接することを特徴とする請求項１に記載の液晶表示装置。
【請求項３】
前記前面パネルは、前記液晶表示パネルの表示領域を囲う縁部を有していることを特徴とする請求項１または２に記載の液晶表示装置。
【請求項４】
前記分岐片は、前記前面パネルと当接する導電部を有し、前記導電部は前記分岐片の前面側にあることを特徴とする請求項１から３に記載の液晶表示装置。
【請求項５】
前記液晶表示パネルは、前記絶縁基板のうち表面積が大きい方が前面側に配置され、前記分岐片は前記表面積が大きい方に前記緩衝部材を介して配置されることを特徴とする請求項１から４に記載の液晶表示装置。
【発明の詳細な説明】
【技術分野】
【０００１】
本発明は、自動車等に搭載される液晶表示装置に関し、特に静電気防止構造を備えた液晶表示装置に関するものである。
【背景技術】
【０００２】
従来の液晶表示装置は、ケースに収納された液晶表示パネルを保持するための金属製セル抑えやリードピンなどによって、液晶表示パネルの表面に帯電した静電気を回路基板に逃す構造が一般的であり、液晶表示パネルは、フレキシブルプリント基板などによって回路基板と電気的に接続されるものが知られている。
【先行技術文献】
【特許文献】
【０００３】
【特許文献１】特開２０１０−１５１８５２号公報
【発明の概要】
【発明が解決しようとする課題】
【０００４】
しかしながら、例えば、可視範囲を決める透過性パネルなどを液晶の前面に配置する場合、パネルに帯電した静電気が液晶表示パネルに落ちてしまい、液晶表示パネルの誤作動や破損などが生じるといった問題があった。
【課題を解決するための手段】
【０００５】
そこで本発明は、前面パネルの背後に設けられ、液晶を封止した一対の絶縁基板の内側表面に透明電極が各々設けられることで表示部を形成する液晶表示パネルと、
前記液晶表示パネルと導通接続されるフレキシブルプリント配線板と、を備えた液晶表示装置において、
前記フレキシブルプリント配線板は、前記液晶表示パネルと導通接続されない分岐片を有し、
前記分岐片は、前記前面パネルに当接するものである。
【０００６】
また本発明は、前記分岐片は、前記絶縁基板の表面側に配置された緩衝部材と当接するものである。
【０００７】
また本発明は、前記前面パネルは、前記液晶表示パネルの表示領域を囲う縁部を有しているものである。
【０００８】
また本発明は、前記分岐片は、前記前面パネルと当接する導電部を有し、前記導電部は前記分岐片の前面側にあるものである。
【０００９】
また本発明は、前記液晶表示パネルは、前記絶縁基板のうち表面積が大きい方が前面側に配置され、前記分岐片は前記表面積が大きい方に前記緩衝部材を介して配置されるものである。
【発明の効果】
【００１０】
本発明によれば、前面パネルに帯電した静電気による液晶表示パネルへの悪影響を防ぐことが可能な液晶表示装置を提供することができる。
【図面の簡単な説明】
【００１１】
【図１】本発明の第１実施形態を示す液晶表示装置の斜視図。
【図２】同液晶表示装置のフレキシブルプリント配線板の正面図。
【図３】同液晶表示装置を組み付けた際の見返し部材と前面パネルと液晶表示パネルとのＡ−Ａ断面図。
【発明を実施するための形態】
【００１２】
以下、本発明の実施形態に係る液晶表示装置を添付の図面を参照して具体的に説明する。
【００１３】
本実施形態の液晶表示装置は、不透過性樹脂から形成された見返し部材１と、光透過性の前面パネル２と、透過型の液晶表示パネル３と、この液晶表示パネル３の裏面側に配置された導光部材４と、液晶表示パネル３と導光部材４との間に配置された拡散シートやプリズムシートなどの光学フィルム５と、液晶表示パネル３，導光部材４および光学フィルム５が保持されるセルケース６と、このセルケース６の背後（液晶表示パネル１の背後でもある）に配置された硬質の回路基板（図示せず）と、この回路基板上に実装され液晶表示パネル１を照明する光源としての発光ダイオード（図示せず）と、液晶表示パネル３と回路基板とを繋ぐ導電性の接続部材としてのフレキシブルプリント配線板３１を備えている。
【００１４】
見返し部材１は、不透過性の合成樹脂から形成されたものであり、内周部にフック係合部（図示せず）を有し、セルケース６内に収納された前面パネル２、液晶表示パネル３、光学フィルム５と、導光部材４との上側を覆い、フック係合部とセルケース６の係止部（図示せず）とが係合される。
【００１５】
前面パネル２は、透過性のシート材からなり、表面もしくは裏面に液晶表示パネル３の可視範囲を定める不透過性の縁部２１が印刷などにより施されている。
【００１６】
液晶表示パネル３は、詳細は図示しないが周知の如く、前側ガラス基板３Ａと、前側ガラス基板３Ａよりも表面積が小さい後側ガラス基板３Ｂとの間に液晶分子を封入し、各々のガラス基板３Ａ，３Ｂに偏光膜を貼ったものである。
【００１７】
フレキシブルプリント配線板３１は、ポリイミド樹脂等の絶縁性素材からなる基材上に、銅等の導電性素材により所定のパターンの導電路が複数形成されたものである。この導電部は、一部を除き絶縁性素材からなるカバーフィルムにより被覆され、露出された導電部には、ニッケル、金等の導電性補強材のメッキが施され電極端子部が形成されている。
【００１８】
また、フレキシブルプリント配線板３１は、同一の絶縁性素材からなるＬ字型の分岐片３１１を有しており、図３に示すように、その分岐片３１１は前面パネル２の縁部２１と緩衝部材３２との間に配置されている。
【００１９】
緩衝部材３２は、両面シールなどの接着剤によって前側ガラス基板３Ａに接着されている。また、緩衝部材３２は、例えばスポンジ状の材料から形成され、見返し部材１とセルケース６とが係合されることによって、前面パネル２と前側ガラス基板３Ａとに押圧される。
【００２０】
分岐片３１１には、その前面側に導電部３１２が設けられてあり、この導電部３１２と、前面パネル２とが当接することによって、前面パネル２に帯電した静電気が、分岐片３１１からフレキシブルプリント配線板３を通り、図示しない回路基板へとアースされる。このとき、緩衝部材３２は絶縁素材によって形成されているため、導電部３１２に伝わる静電気が、液晶表示パネル３に電気伝導することはない。
【００２１】
このように、本願発明の液晶表示装置は、見返し部材１と、見返し部材１の背後に設けられる前面パネル２と、前面パネル２の背後に設けられ、液晶を封止した一対の絶縁基板（ガラス基板）３Ａ、３Ｂの内側表面に透明電極が各々設けられることで表示部を形成する液晶表示パネル３と、液晶表示パネル３と導通接続されるフレキシブルプリント配線板３１と、を備えた液晶表示装置において、フレキシブルプリント配線板３１は、液晶表示パネル３と導通接続されない分岐片３１１を有し、
分岐片３１１は、絶縁基板の表面側に配置された緩衝部材３２に当接するように設けられることによって、前面パネル２に帯電する静電気を回路基板にアースすることができるので、静電気による液晶表示パネルへの悪影響を防ぐことができる。
【００２２】
また、本願発明の液晶表示装置は、緩衝部材３２は、弾性部材からなることによって、前面パネル２と前側ガラス基板３Ａとに押圧され、前面パネル２に帯電した静電気が前面パネル２から液晶表示パネル３に電気伝導することを防ぐことができる。
【００２３】
また、本願発明の液晶表示装置は、前面パネル２は、液晶表示パネル３の周縁を囲う縁部２１を有していることによって、導電部３１２を前面パネル２の表示領域外に当接させることができるので見栄えのよい液晶表示装置を提供することができる。
【００２４】
また、本願発明の液晶表示装置は、フレキシブルプリント配線板３１は、前面パネル２と当接する導電部３１２を有した分岐片３１１を備え、導電部３１２は分岐片３１１の前面側にあることによって、確実に前面パネル２と当接させることができる。
【００２５】
また、本願発明の液晶表示装置は、液晶表示パネル３は、２枚のガラス基板３Ａ，３Ｂのうち表面積が大きい方が前側に配置され、分岐片３１１は前側ガラス基３Ａの方に分岐片３１１が緩衝部材３２を介して設けられていることによって、フレキシブルプリント配線板３１の導電部３１２が前面パネル２と当接することができる位置となるので、前面パネル２に帯電した静電気を回路基板に逃がすことが可能となる。
【符号の説明】
【００２６】
１  見返し部材
２  前面パネル
３  液晶表示パネル
３Ａ  前側ガラス基板
３Ｂ  後側カラス基板
４  導光体
５  光学シート
６  セルケース
２１  縁部
３１  フレキシブルプリント配線板
３２  緩衝部材
３１１  分岐片
３１２  導電部
【図１】
2014081567.tif 000003
【図２】
2014081567.tif 000004
【図３】
2014081567.tif 000005
【手続補正書】
【提出日】平成24年11月8日(2012.11.8)
【手続補正１】
【補正対象書類名】図面
【補正対象項目名】全図
【補正方法】変更
【補正の内容】
【図１】
2014081567.tif 000006
【図２】
2014081567.tif 000007
【図３】
2014081567.tif 000008